(57)【要約】【課題】電気掃除機において、集塵室の容積を大きくしても、フィルタに付着した塵埃によって電動送風機の吸込み口が塞がれ、風路抵抗が増加し、有効に使用できなくなること。【解決手段】集塵室２３内に流入口２８から流出口３９へ向かう直線と平行に配したフィルタ３０、３１を設け、このフィルタ３０、３１と仕切板３２、３３によって、集塵室２３を流入側室３４、流出側室３６に分割する構成とした。これにより、塵埃はフィルタ３０、３１の流出口３９側から徐々に付着するため、流入側室３４と中間集塵室３５が塵埃でいっぱいになるまで、フィルタ３０、３１が目詰まりし難く、外形が大きく、吸込み圧力の高い電動送風機２２を使用する必要がなくなり、軽量かつ細身で、操作性、収納性に優れた電気掃除機が提供できるようになる。【選択図】　図１
2004113274.tif 000002
【特許請求の範囲】
【請求項１】
掃除機本体に内蔵した電動送風機と、この電動送風機の下方かつ上流側に配した集塵室と、この集塵室の下方かつ上流側に配した吸込具を有し、前記集塵室に設けた流入口及び流出口は同一線上に位置し、前記集塵室内には流入口から流出口へ向かう直線と平行に配したフィルタを設け、このフィルタと仕切板によって、集塵室を流入側室と流出側室とに分割する構成とした電気掃除機。
【請求項２】
フィルタ横の流出側室における前記フィルタと直角方向の通路断面積が、流出口側に向かって拡大するように設けた請求項１記載の電気掃除機。
【請求項３】
集塵室は、複数のフィルタと仕切板によって流入側室と流出側室に分割され、前記複数のフィルタにより、前記流入側室と前記流出側室との間に、１つまたは複数の中間集塵室を設けた請求項１または２に記載の電気掃除機。
【請求項４】
流入側室と１つまたは複数の中間集塵室は、それぞれ上流側の室が下流側の室よりも大きな容積を持つ構成とした請求項３に記載の電気掃除機。
【請求項５】
流入側室を本体の前面に配した請求項１から４のいずれか１項に記載の電気掃除機。
【請求項６】
流入側室を本体の後面に配した請求項１から４のいずれか１項に記載の電気掃除機。
【請求項７】
流入側室に面するフィルタを導電材質とした請求項１から６のいずれか１項に記載の電気掃除機。
【請求項８】
流入側室の流入口近傍に、質量の大きなごみが入る収容部を設けた請求項１から７のいずれか１項に記載の電気掃除機。
【請求項９】
下流側に位置する仕切板の流入側室側内壁に緩衝体を配した請求項１から８のいずれか１項に記載の電気掃除機。
【請求項１０】
流入口と集塵室との間に屈曲通路を設けた請求項１から９のいずれか１項に記載の電気掃除機。
【請求項１１】
流入口から流出口へ向かう直線と平行に配したフィルタと仕切板とによって流入側室と流出側室に分割された集塵室を、吸込具と電動送風機の間に複数個、直列に配した請求項１から１０のいずれか１項に記載の電気掃除機。
【発明の詳細な説明】
【０００１】
【発明の属する技術分野】
本発明は、一般家庭等で使用される電気掃除機に関するものである。
【０００２】
【従来の技術】
従来の電気掃除機は、掃除機本体に内蔵した電動送風機の下側にフィルタを収容する集塵室を設け、さらにこの集塵室の下側に吸込具を有している（例えば、特許文献１参照）。
【０００３】
【特許文献１】
特開２０００−１８９３５１号公報
【０００４】
【発明が解決しようとする課題】
しかしながら、前記従来の構成では、吸込具から集塵室を経て電動送風機に流れる気流に対して直角方向にフィルタが配されていることになり、吸込まれた塵埃はフィルタの電動送風機近傍に集中して付着することになる。このため集塵室の容積を大きく取ったとしてもフィルタに付着した塵埃によって電動送風機の吸込み口がふさがれてしまい有効に集塵室の容積を利用することができなかった。これを解決するために吸込み圧力の高い電動送風機を使用すると、この電動送風機の質量と直径が大きくなり、電気掃除機の質量と本体の大きさが大きくなるものである。またフィルタの面積を大きくしても掃除機本体の大きさが大きくなるものである。この結果、掃除機本体の床面での操作、持ち上げての使用、運搬等が改善できず、さらに清掃や収納のために細い隙間に入れることが困難であるという課題を有していた。
【０００５】
本発明は前記従来の技術を解決するもので、フィルタが目詰まりしにくく高い集塵性能を持続し、かつ細身の集塵室を有する軽量かつ細身で操作性、収納性を向上した電気掃除機の提供を目的とする。
【０００６】
【課題を解決するための手段】
前記従来の課題を解決するために、本発明の電気掃除機は、掃除機本体に内蔵した電動送風機と、この電動送風機の下方かつ上流側に配した集塵室と、この集塵室の下方かつ上流側に配した吸込具を有し、前記集塵室に設けた流入口及び流出口は同一線上に位置し、前記集塵室内には流入口から流出口へ向かう直線と平行に配したフィルタを設け、このフィルタと仕切板によって、集塵室を流入側室と流出側室とに分割する構成としたものである。
【０００７】
これによって、吸込具から吸込まれた塵埃は慣性力によりフィルタの流出口側から徐々に付着するため、流入側室に塵埃がいっぱいになるまでフィルタは目詰まりしにくく、常に気流の通路が確保されているため、圧力損失の増加を防いでいる。そのため直径が大きく吸込み圧力の高い電動送風機を使用せずとも十分な吸引力を得ることができるので、軽量かつ細身で操作性、収納性が向上するものである。
【０００８】
【発明の実施の形態】
請求項１に記載した発明は、掃除機本体に内蔵した電動送風機と、この電動送風機の下方かつ上流側に配した集塵室と、この集塵室の下方かつ上流側に配した吸込具を有し、前記集塵室に設けた流入口及び流出口は同一線上に位置し、前記集塵室内には流入口から流出口へ向かう直線と平行に配したフィルタを設け、このフィルタと仕切板によって、集塵室を流入側室と流出側室とに分割する構成としている。これにより、吸込具から吸込まれた塵埃は慣性力によりフィルタの流出口側から徐々に付着するため、流入側室に塵埃がいっぱいになるまでフィルタは目詰まりしにくく、常に気流の通路が確保されているため、風路抵抗の増加を防いでいる。そのため直径が大きく吸込み圧力の高い電動送風機を使用せずとも十分な吸引力を得ることができ、軽量かつ細身で操作性、収納性が向上した電気掃除機を実現するものである。
【０００９】
請求項２に記載した発明は、特に、請求項１に記載したフィルタ横の流出側室における前記フィルタと直角方向の通路断面積が、流出口側に向かって拡大するように設けているので、流入口から流入した気流は流入側室の流出口側に偏ってフィルタを通過するので、吸込んだ塵埃はフィルタの流出口側から順に付着していく。この結果、集塵室の流入側室の容積をより有効に利用でき塵埃の集塵量を増すことができる。
【００１０】
請求項３に記載した発明は、特に、請求項１または２に記載した集塵室が、複数のフィルタと仕切板によって流入側室と流出側室に分割され、前記複数のフィルタにより、前記流入側室と前記流出側室との間に、１つまたは複数の中間集塵室を設ける構成としている。これにより、上流側のフィルタで体積や表面積の大きな塵埃を蓄積し、下流側のフィルタで小さな塵埃を蓄積するので、塵埃の大きさに適したフィルタを持つことができ、フィルタが目詰まりしにくい集塵室とすることができる。
【００１１】
請求項４に記載した発明は、特に、請求項３に記載した入側室と１つまたは複数の中間集塵室は、それぞれ上流側の室が下流側の室よりも大きな容積を持つ構成としている。これにより、上流側のフィルタで体積や表面積の大きな塵埃を蓄積し、下流側のフィルタで小さな塵埃を蓄積するので、塵埃の大きさと量に適したフィルタと集塵室容積を持つことができ、全体として小型でフィルタが目詰まりしにくい集塵室とすることができる。
【００１２】
請求項５に記載した発明は、特に、請求項１から４のいずれか１項に記載した流入側室を、本体の前面に配した構成としている。これにより、使用時に本体を斜めにしてスイッチを入れて電動送風機を運転する前、もしくはスイッチを切り電動送風機が停止した場合に、集塵室内で寄せ集められた塵埃がフィルタに引っかかるため、流入口へ落下するのを防ぐことができる。この結果、塵埃の塊が集塵室内で上下に移動することを防ぎ、フィルタの目詰まりを防ぎ、また気流の流れを妨げることなく高い吸込み性能を維持することができる。
【００１３】
請求項６に記載した発明は、特に、請求項１から４のいずれか１項に記載した流入側室を、本体の後面に配した構成としている。これにより、使用時に本体を斜めにすると吸込まれた塵埃は重力の作用で流入側室のフィルタから離れた壁面を移動し、流出口側からフィルタに付着するので、集塵室の流入側室の容積をより有効に利用でき塵埃の集塵量を増すことができるようになる。
【００１４】
請求項７に記載した発明は、特に、請求項１から６のいずれか１項に記載した流入側室に面するフィルタを、導電材質としている。これにより、塵埃がフィルタを擦りながら移動しても静電気が発生し難く、また発生した静電気もフィルタ全体を伝わって空気中に放電されるので、塵埃が流入側室の壁面に付着することを防止できる。
【００１５】
請求項８に記載した発明は、特に、請求項１から７のいずれか１項に記載した流入側室の流入口近傍に、質量の大きなごみが入る収容部を設けている。これにより、クリップ、硬貨、小石等の質量の大きなごみが吸込まれた場合に、この収容部に落ち込み、質量の大きなごみが集塵室内を頻繁に移動することがないので、圧縮され塊となった塵埃に質量の大きなごみが衝突して集塵室内に拡散させることがない。さらに集塵室内の壁面やフィルタに衝突して破損させる恐れもなく、衝突時の騒音も低減できる。
【００１６】
請求項９に記載した発明は、特に、請求項１から８のいずれか１項に記載した下流側に位置する仕切板の流入側室側内壁に緩衝体を配した構成としている。これにより、質量の大きなごみや硬いごみが吸い込まれ、慣性力によって流出口近傍の仕切板に衝突しても破損の恐れがなく、さらに騒音も低減できる。
【００１７】
請求項１０に記載した発明は、特に、請求項１から９のいずれか１項に記載した流入口と集塵室との間に、屈曲通路を設けているので、本体の動作停止時に蓄積した塵埃が流入口側に落下しても、容易に吸込具から塵埃が漏れることがなく、逆止弁等の構成を必要としないものである。
【００１８】
請求項１１に記載した発明は、特に、請求項１から１０のいずれか１項に記載した流入口から流出口へ向かう直線と平行に配したフィルタと仕切板とによって流入側室と流出側室に分割された集塵室を、吸込具と電動送風機の間に複数個、直列に配しているので、塵埃の大きさに適したフィルタと集塵容積を持つことができ、本体がより細身でフィルタが詰まりにくい集塵室とすることができる。
【００１９】
【実施例】
以下、本発明の実施例について図面を参照しながら説明する。
【００２０】
（実施例１）
図１は、本発明の第１の実施例における電気掃除機の要部縦断面図を示すものであり、図２は、同電気掃除機の使用状態を示す一部断面側面図である。また図３（ａ）〜（ｃ）は、同電気掃除機の集塵室の塵埃蓄積状態を示す縦断面図であり、図４は、同集塵室の収容部の働きを示す縦断面図である。
【００２１】
図１〜図４において、２１は掃除機本体（以下、本体と称す）、２２は本体２１内に内蔵された電動送風機である。２３は電動送風機２２の下方かつ上流側に配された集塵室である。２４は集塵室２３の下方かつ上流側に配された吸込具である床ノズルであり、下方に開口部２５を設けている。床ノズル２４内部にはモータ（図示せず）によって回転する回転ブラシ２６を配している。２７は床ノズル２４と集塵室２３の下方略中央の流入口２８との間に設けられた接続管である。接続管２７内にはゴムまたはエラストマー樹脂製の逆止弁２９を有しており、吸込み力が発生したときのみ、下流側へ開くものである。
【００２２】
集塵室２３は前段フィルタ３０と後段フィルタ３１、そして仕切板３２、３３によって３つに分割されている。すなわち本体２１の前面かつ上流側に位置する流入側室３４、前段フィルタ３０と後段フィルタ３１で挟まれた中間集塵室３５、そして本体２１の後面かつ下流側に位置する流出側室３６である。このとき前段フィルタ３０及び後段フィルタ３１は、それぞれフィルタ枠３７、３８によって保持され、流入口２８から集塵室２３の上方略中央の流出口３９へ向かう直線とほぼ平行に配されている。流入側室３４は中間集塵室３５に比べて容積が大きいものである。また前段フィルタ３０及び後段フィルタ３１は目の細かな（数十μｍ〜数百μｍ）金網であり、後段フィルタ３１は前段フィルタ３０に比べて目が細かいものである。
【００２３】
４０は流出側室３６に設けた傾斜部であり、この傾斜部４０により流出側室３６は流入口２８側から流出口３９側へと通路断面積が拡大する形状となっている。４１は流入口２８の外周に設けた収容部である。仕切板３３の下面すなわち流入側室３４の内壁にはゴムまたは発泡ウレタン等の緩衝体４２を設けている。４３は電動送風機２２を保持する発泡ウレタン等の保持部であり、電動送風機２２の振動と騒音を吸収するものである。４４は電動送風機２２と流出口３９の間に設けた格子部であり、フィルタ等が破損した場合に電動送風機２２内に異物が浸入するのを防ぐものである。５１は本体２１の最上端に設けたハンドル部である。
【００２４】
以下、上記構成に基づく本実施例の動作について説明する。ハンドル部５１を持ち床ノズル２４の開口部２５を清掃面に置き、ハンドル部５１に設けたスイッチ（図示せず）を入れると、電動送風機２２が作動して吸引力が発生する。続いて回転ブラシ２６が床ノズル内のモータによって回転し清掃面の塵埃を掻き揚げる。発生した吸引力によって周囲の空気が吸込まれ（矢印Ａ）、清掃面の塵埃が床ノズル２４内に吸込まれる（矢印Ｂ）。このとき逆止弁２９は吸引力によって開放状態であり、吸込まれた塵埃は接続管２７を通過し（矢印Ｃ）、集塵室２３内の流入側室３４へと搬送される。ここで流出側室３６が傾斜部４０により流入口２８側から流出口３９側へと拡大する通路形状となっているため、気流は通路面積が広く風路抵抗の少ない前段フィルタ３０の流出口３９側に偏り、さらに塵埃自身の慣性力により気流が前段フィルタ３０へ向いても塵埃は流出口３９側へと進んでいく（矢印Ｄ、矢印Ｅ）。前段フィルタ３０及び後段フィルタ３１を通過し清浄化された空気は流出口３９と格子部４４を通過して電動送風機２２に吸引される（矢印Ｆ）。その後、電動送風機２２から排出された空気は本体２１に設けた排気口（図示せず）から外部へと排出される。
【００２５】
次に塵埃が集塵室２３に蓄積する様子を図３（ａ）〜（ｃ）により詳しく説明する。まず吸引初期（図３（ａ））では前述の通り、気流の偏りと慣性力により塵埃は流入側室３４の流出口３９側の前段フィルタ３０と仕切板３３付近から蓄積される。このとき前段フィルタ３０に付着するのはある程度大きな塵埃４５であり、残りの小さな塵埃４６は前段フィルタ３０を通過し中間集塵室３５へと移動する。この中間集塵室３５内でも塵埃４６は流入側室３４内と同様の動きをして、中間集塵室３５の流出口３９側の後段フィルタ３１と仕切板３３付近から蓄積する。後段フィルタ３１は目が細かく残りの小さな塵埃４６を付着させ、流出側室３６へは清浄化された空気が通過していく。
【００２６】
続けて塵埃を吸込むと（図３（ｂ））、流入側室３４には大きな塵埃４５のみが順に蓄積し、残りの小さな塵埃４６は大きな塵埃４５と前段フィルタ３０を通過し中間集塵室３５に蓄積する。最終的（図３（ｃ））には、流入側室３４と中間集塵室３５に塵埃４５、４６が充満していく。
【００２７】
また塵埃の一部は集塵室２３の内壁やフィルタ３０・３１と接触して静電気を発生させるが、フィルタ３０・３１自身が導電材質である金網であるため静電気が発生しにくく、また発生した静電気もフィルタ３０・３１全体を伝わって空中に放電され、塵埃が流入側室３４の壁面に付着することを防止できる。スイッチを切り電動送風機２２を停止しても圧縮され塊となった塵埃はフィルタ３０・３１の目に引っかかりその場に固定される。
【００２８】
次に、クリップ、硬貨、小石等の質量の大きなごみや硬いごみが吸込まれた場合の様子を図４により説明する。床ノズル２４より吸込まれた質量の大きなごみ４７は慣性力も大きく前段フィルタ３０に付着せずに仕切板３３に衝突する（矢印Ｇ）。ここで仕切板３３にはゴムや発砲ウレタン、スポンジ等の緩衝体４２を設けているので、ごみの跳ね返る速度を低下させ、同時に仕切板３３を防護し、かつ衝突音を軽減している。跳ね返ったごみ４７は流入口２８の方へと戻っていくが、流入口２８の外周に設けた収容部４１へと収容されて再び吸込まれることがない（矢印Ｈ）。
【００２９】
このようにして本実施例の電気掃除機を使用することによって、床ノズル２４から吸込まれた塵埃は慣性力によりフィルタ３０、３１の流出口３９側から徐々に付着するため、流入側室３４に塵埃がいっぱいになるまでフィルタ３０は目詰まりし難く、常に気流の通路が確保されているため、風路抵抗の増加を防いでいる。そのため直径が大きく吸込み圧力の高い電動送風機を使用せずとも十分な吸引力を得ることができ、軽量かつ細身で操作性、収納性が向上した電気掃除機を実現するものである。
【００３０】
また集塵室２３の流出側室３６は、傾斜部４０を有し流入口２８側から流出口３９側へと拡大する通路形状としているので、流入口２８から流入した気流は流入側室３４の流出口３９側に偏ってフィルタ３０を通過し、吸込んだ塵埃はフィルタ３０の流出口側から順に付着していく。この結果、集塵室２３の流入側室３４の容積をより有効に利用でき塵埃の集塵量を増すことができる。
【００３１】
また集塵室２３は、２枚のフィルタ３０、３１によって流入側室３４、中間集塵室３５、流出側室３６に分割されており、かつ流入側室３４と中間集塵室３５は上流側がより大きな容積を持つ構成としている。これにより、上流側のフィルタ３０で体積や表面積の大きな塵埃を蓄積し、下流側のフィルタ３１で小さな塵埃を蓄積するので、塵埃の大きさと量に適したフィルタと集塵室容積を持つことができ、全体として小型でフィルタが目詰まりしにくい集塵室とすることができる。
【００３２】
また流入側室３４を本体２１の前面に配した構成としているので、使用時に本体２１を斜めにしてスイッチを入れて電動送風機２２を運転する前、もしくはスイッチを切り電動送風機２２が停止した場合に、集塵室２３内で寄せ集められた塵埃がフィルタ３０に引っかかり流入口２８へと落下するのを防ぐ。この結果、塵埃の塊が集塵室内で上下に移動することを防ぎ、フィルタ３０・３１の目詰まりを防ぎ、また気流の流れを妨げることなく高い吸込み性能を維持することができる。
【００３３】
また流入側室３４に面するフィルタ３０を導電材質である金網としているため、塵埃がフィルタ３０を擦りながら移動しても静電気が発生しにくく、また発生した静電気もフィルタ３０全体を伝わって空気中に放電され、塵埃が流入側室３４の壁面に付着することを防止できる。
【００３４】
なお導電材質であるフィルタ３０、３１を集塵室２３もしくは本体２１の金属部分へアースすることで放電効果を高めることができる。
【００３５】
また流入側室３４の流入口２８外周に収容部４１を設けている。こうして質量の大きなごみ４７が吸込まれた場合にこの収容部４１に落ち込み、質量の大きなごみ４７が集塵室３０内を頻繁に移動することがないので、圧縮され塊となった塵埃に質量の大きなごみ４７が衝突して集塵室２３内に拡散させることがない。さらに集塵室２３内の壁面やフィルタ３０に衝突して破損させる恐れもなく、衝突時の騒音も低減している。
【００３６】
また流入側室３４の内壁に位置する仕切板３３に緩衝体４２を配した構成としているので、質量の大きなごみ４７や硬いごみが吸い込まれ、慣性力によって流出口３９近傍の仕切板３３に衝突しても破損の恐れがなく、さらに騒音も低減している。
【００３７】
尚、本実施例において、流入口２８、流出口３９を、それぞれ集塵室２３の下方上流側略中央、上方下流側略中央に設けたが、必ずしも略中央に設ける必要は無く、それぞれ端に設けても問題ないものである。
【００３８】
（実施例２）
図５は、本発明の第２の実施例における電気掃除機の集塵室の平面断面図である。なお前段フィルタ３０及び後段フィルタ３１の断面形状以外の構成は実施例１と同様であるので、同一部分には同一符号を付与して、その詳細な説明を省略する。
【００３９】
図５において、前段フィルタ３０及び後段フィルタ３１は流出側室３６へ向かって湾曲しており、気流は矢印Ｊの方向に流れている。これにより平板状フィルタに比べてフィルタ面積を大きくすることが可能で、さらに剛性を増し高い強度を得ることができる。
【００４０】
なおフィルタ形状は湾曲状の他に、平面を組合わせた形状や波状でも同様の効果を得られるものである。
【００４１】
（実施例３）
図６は、本発明の第３の実施例における電気掃除機の要部縦断面図である。なお集塵室２３の前後関連の構成以外は実施例１と同様であるので、同一部分には同一符号を付与して、その詳細な説明を省略する。
【００４２】
図６において、集塵室２３では、流入側室３４を本体２１の後面に配した構成としている。こうして使用時に本体２１を斜めにすると吸込まれた塵埃は流入側室３４の前段フィルタ３０から離れた壁面を移動し、流出口３９側から前段フィルタ３０に付着する（矢印Ｋ）。この結果、集塵室２３の流入側室３４の容積をより有効に利用でき塵埃の集塵量を増すことができる。
【００４３】
（実施例４）
図７は、本発明の第４の実施例における電気掃除機の集塵室と流入口まわりの要部縦断面図である。なお流入口２８近傍以外の構成は実施例１と同様であるので、同一部分には同一符号を付与して、その詳細な説明を省略する。
【００４４】
図７において、流入口２８では、集塵室２３との間に屈曲通路６１を設けており、塵埃は矢印Ｌの方向に通過していく。このため逆止弁を有せずとも本体２１の動作停止時に集塵された塵埃６４が流入口側２８に落下しても通路隔壁６２及び突起６３に阻まれて床ノズル２４から塵埃６４が漏れることがなく、簡易な構成とすることができる。
【００４５】
（実施例５）
図８は、本発明の第５の実施例における電気掃除機の要部縦断面図である。なお集塵室２３以外の構成は実施例１と同様であるので、同一部分には同一符号を付与して、その詳細な説明を省略する。
【００４６】
図８において、集塵室２３は下段の集塵室を構成する流入側室３４、フィルタ３０、フィルタ枠３７、流出側室３６、傾斜部４０、仕切板３２、３３と、上段を構成する流入側室７１、フィルタ３１、フィルタ枠３８、流出側室７２、傾斜部７３、仕切板７４、７５から成り、上下段直列に配されている。このとき気流は矢印Ｍ、矢印Ｎ、矢印Ｐの順に流れていく。このため塵埃の大きさに適したフィルタと集塵容積を持つことができ、本体２１が細身でフィルタ３０、３１が目詰まりし難い集塵室２３とすることができる。
【００４７】
【発明の効果】
以上のように、請求項１から１１に記載の発明によれば、軽量かつ細身で操作性、収納性が向上した縦型電気掃除機を実現するものである。
【図面の簡単な説明】
【図１】本発明の実施例１における電気掃除機の要部縦断面図
【図２】同電気掃除機の使用状態を示す一部断面側面図
【図３】（ａ）同電気掃除機の集塵室における初期の塵埃蓄積状態を示す縦断面図
（ｂ）同集塵室における使用途中の塵埃蓄積状態を示す縦断面図
（ｃ）同集塵室における最終の塵埃蓄積状態を示す縦断面図
【図４】同集塵室の収容部の働きを示す縦断面図
【図５】本発明の実施例２における電気掃除機の集塵室の平面断面図
【図６】本発明の実施例３における電気掃除機の要部縦断面図
【図７】本発明の実施例４の電気掃除機における集塵室と流入口まわりの要部縦断面図
【図８】本発明の実施例５における電気掃除機の要部縦断面図
【符号の説明】
２１　本体（掃除機本体）
２２　電動送風機
２３　集塵室
２４　床ノズル（吸込具）
２８　流入口
３０、３１　フィルタ
３２、３３、７４、７５　仕切板
３４、７１　流入側室
３５　中間集塵室
３６、７２　流出側室
３９　流出口
４０、７３　傾斜部
４１　収容部
４２　緩衝体
４７　質量の大きなごみ
６１　屈曲通路
【図１】
2004113274.tif 000003
【図２】
2004113274.tif 000004
【図３】
2004113274.tif 000005
【図４】
2004113274.tif 000006
【図５】
2004113274.tif 000007
【図６】
2004113274.tif 000008
【図７】
2004113274.tif 000009
【図８】
2004113274.tif 000010